(57)【要約】【課題】分割された床パン同士の継目部における防水性を向上し得る分割床パンの防水構造を提供する。【解決手段】分割床パンの防水構造は、分割された浴槽床パン１０及び洗場床パン２０同士の対向する端部１４，２４間のシーリング材充填用の隙間１９の底部を形成するように、これら端部の裏面側に硬質系材料からなるシーリング材受体３１が該隙間の全長に亘って設けられ、該隙間にシーリング材２９が充填され、かつ前記浴槽床パン及び前記洗場床パンの各端部の表面１４ａ，２４ａに跨るように前記シーリング材を覆う防水テープ４６が前記隙間の全長に亘って貼着されている。【選択図】図１
2014205995.tif 000002
【特許請求の範囲】
【請求項１】
分割された浴槽床パン及び洗場床パン同士の対向する端部間のシーリング材充填用の隙間の底部を形成するように、これら端部の裏面側に硬質系材料からなるシーリング材受体が該隙間の全長に亘って設けられ、該隙間にシーリング材が充填され、かつ前記浴槽床パン及び前記洗場床パンの各端部の表面に跨るように前記シーリング材を覆う防水テープが前記隙間の全長に亘って貼着されていることを特徴とする分割床パンの防水構造。
【請求項２】
請求項１において、
前記浴槽床パン及び前記洗場床パンの各端部の隙間長手方向両端部には、壁パネルが載置される壁載置部と該壁載置部から上方に向けて立ち上がる立上部とがそれぞれに設けられており、
前記防水テープを、これら両端側の壁載置部上面及び立上部の互いに対向する面にも貼着していることを特徴とする分割床パンの防水構造。
【請求項３】
請求項２において、
前記防水テープを０．５ｍｍ以下とし、前記浴槽床パン及び前記洗場床パンの各端部の隙間長手方向両端部の壁載置部上面に貼着された防水テープ上を含み、これら浴槽床パン及び洗場床パンの周端部に設けられた壁載置部上面に防水パッキンを貼着していることを特徴とする分割床パンの防水構造。
【請求項４】
請求項１乃至３のいずれか１項において、
前記浴槽床パンと前記洗場床パンとは、これら浴槽床パン及び洗場床パンの各底部から立ち上がるように形成された堰部の天部において分割されており、
前記防水テープが該堰部の天部上面となる前記浴槽床パン及び前記洗場床パンの各端部の上面に跨るように貼着されていることを特徴とする分割床パンの防水構造。
【請求項５】
請求項４において、
前記堰部の天部上面及び少なくとも上側部位の幅方向両側部を全長に亘って覆う下方開口形状のカバーを更に設けていることを特徴とする分割床パンの防水構造。
【発明の詳細な説明】
【技術分野】
【０００１】
本発明は、分割された浴室床パンの防水構造に関する。
【背景技術】
【０００２】
従来より、浴槽床パンと洗場床パンとに分割された浴室床パンが知られている。
例えば、下記特許文献１では、別体の浴槽載置パンと洗い場パンとを並置して連結してなる防水パンが提案されている。この防水パンは、浴槽載置パン及び洗い場パンの各側端縁に沿って立上部を設け、これらの側端縁同士をパッキンを介して突き合わせ、ビスによりこれらのパン同士を連結し、パン同士の突き合わせ面のパッキンの上側にコーキングを施して連結する構造とされている。
【先行技術文献】
【特許文献】
【０００３】
【特許文献１】特開平５−２１４７５２号公報
【発明の概要】
【発明が解決しようとする課題】
【０００４】
しかしながら、上記特許文献１に記載された防水パンは、パン同士の突き合わせ面のパッキンの上側にコーキングを施して連結する構造とされている。つまり、コーキングが充填される箇所の底側にパッキンが位置することとなる。このようなパッキンは、比較的に柔軟で圧縮変形するため、表面側に凹凸が形成され易い。つまり、コーキングの充填箇所の深さが長手方向に沿って均一になり難く、そのため、コーキングを長手方向に沿って均一に充填し難くなることが考えられ、防水性の観点から更なる改善が望まれる。
【０００５】
本発明は、上記実情に鑑みてなされたものであり、分割された床パン同士の継目部における防水性を向上し得る分割床パンの防水構造を提供することを目的としている。
【課題を解決するための手段】
【０００６】
上記目的を達成するために、本発明に係る分割床パンの防水構造は、分割された浴槽床パン及び洗場床パン同士の対向する端部間のシーリング材充填用の隙間の底部を形成するように、これら端部の裏面側に硬質系材料からなるシーリング材受体が該隙間の全長に亘って設けられ、該隙間にシーリング材が充填され、かつ前記浴槽床パン及び前記洗場床パンの各端部の表面に跨るように前記シーリング材を覆う防水テープが前記隙間の全長に亘って貼着されていることを特徴とする。
【０００７】
本発明においては、前記浴槽床パン及び前記洗場床パンの各端部の隙間長手方向両端部に、壁パネルが載置される壁載置部と該壁載置部から上方に向けて立ち上がる立上部とをそれぞれに設け、前記防水テープを、これら両端側の壁載置部上面及び立上部の互いに対向する面にも貼着してもよい。
また、本発明においては、前記防水テープを０．５ｍｍ以下とし、前記浴槽床パン及び前記洗場床パンの各端部の隙間長手方向両端部の壁載置部上面に貼着された防水テープ上を含み、これら浴槽床パン及び洗場床パンの周端部に設けられた壁載置部上面に防水パッキンを貼着してもよい。
また、本発明においては、前記浴槽床パンと前記洗場床パンとを、これら浴槽床パン及び洗場床パンの各底部から立ち上がるように形成された堰部の天部において分割されたものとし、前記防水テープを該堰部の天部上面となる前記浴槽床パン及び前記洗場床パンの各端部の上面に跨るように貼着してもよい。
また、本発明においては、前記堰部の天部上面及び少なくとも上側部位の幅方向両側部を全長に亘って覆う下方開口形状のカバーを更に設けてもよい。
【発明の効果】
【０００８】
本発明に係る分割床パンの防水構造は、上述のような構成としたことで、分割された床パン同士の継目部における防水性を向上させることができる。
【図面の簡単な説明】
【０００９】
【図１】本発明の一実施形態に係る分割床パンの防水構造の一例を模式的に示し、図７（ａ）におけるＸ−Ｘ線矢視に対応させた一部破断概略縦断面図である。
【図２】（ａ）は、図７（ｂ）におけるＹ−Ｙ線矢視に対応させた一部を省略した一部破断概略縦断面図、（ｂ）は、図７（ａ）におけるＺ１部に対応させた一部を省略した一部破断概略平面図、（ｃ）は、（ｂ）に対応させた一部破断概略側面図である。
【図３】（ａ）は、同防水構造が適用される浴室床パンの一例を分割する前の一体成形された床パンの一例を模式的に示し、図１に対応させた一部破断概略縦断面図、（ｂ）は、図１に対応させた一部破断概略分解縦断面図である。
【図４】（ａ）は、同浴室床パンが備える洗場床パンの一例を模式的に示す概略斜視図、（ｂ）は、同浴室床パンの概略分解斜視図である。
【図５】（ａ）、（ｂ）は、いずれも同防水構造の施工手順の一例を模式的に示す一部破断概略斜視図である。
【図６】（ａ）は、図２（ａ）におけるＺ２部に対応させた一部破断概略縦断面図、（ｂ）は、同防水構造の施工手順の一例を模式的に示す一部を省略した一部破断概略斜視図である。
【図７】（ａ）は、同浴室床パンの概略平面図、（ｂ）は、同浴室床パンの概略底面図である。
【図８】同浴室床パンを備えた浴室ユニットの一例を模式的に示す一部省略概略平面図である。
【発明を実施するための形態】
【００１０】
以下に本発明の実施の形態について、図面に基づいて説明する。
図１〜図８は、本実施形態に係る分割床パンの防水構造の一例を模式的に示す図である。
なお、一部の図では、他図に付している詳細な符号の一部を省略している。
また、以下の実施形態では、本実施形態に係る分割床パンの防水構造を適用した浴室床パン及びこれを備えた浴室ユニットを設置した状態を基準として、上下方向等の方向を説明する。
【００１１】
本実施形態に係る分割床パンの防水構造が適用される浴室床パン２は、図４（ｂ）に示すように、分割された浴槽床パン１０及び洗場床パン２０を備えている。浴槽床パン１０は、浴槽３が設置される浴室床部を構成し、洗場床パン２０は、浴槽３の側方に設けられる洗場の浴室床部を構成する（図８参照）。
浴室ユニット１は、図８に示すように、この浴室床パン２と、この浴室床パン２に設置される浴槽３と、を少なくとも備えている。
まず、本実施形態に係る分割床パンの防水構造が適用される浴室床パン２の一例及びこれを備えた浴室ユニット１の一例について説明する。
【００１２】
浴槽３は、浴室床パン２の浴槽床パン１０上に設置される。また、浴槽３は、平面視して浴槽床パン１０の略全体を覆うように設置される。また、この浴槽３の洗場側の側部には、該側部を覆うようにパネル状のエプロンが取り付けられる。
また、浴室ユニット１は、浴室床パン２の四周端部に沿って立設される壁パネル４，４，４，４と、図示省略の天井パネルと、を備えた、いわゆるユニットバス（システムバス）とされている。この浴室ユニット１は、戸建住宅や集合住宅等の建物内の浴室部分に設置される。
また、浴室ユニット１は、当該浴室ユニット１の出入口を開閉する建具５を備えている。図例では、建具５を、戸幅方向一端側が回動自在に支持された開き戸とした例を示しているが、折戸や引戸等としてもよい。この建具５は、浴室床パン２の四周端部のうち、洗場床パン２０の一端部上に位置するように設置される。
また、浴室ユニット１は、洗場床パン２０の周囲に位置する壁パネル４に取り付けられるカウンター６や、水栓金具やシャワー等の給水・給湯器具７、鏡等を備えている。
なお、浴室ユニット１は、上記したような態様に限られず、その他、種々の態様とされたものとしてもよい。
【００１３】
浴室床パン２は、分割された浴槽床パン１０と洗場床パン２０とを連結して形成される。このような構成とすることで、一体成形の床パンと比べて小型化を図ることができ、取り扱い性を向上させることができる。これにより、特に搬入口が狭小となる傾向のある集合住宅等のリフォーム用としても好適なものとなる。
この浴室床パン２は、図７に示すように、平面視して略方形状とされている。本実施形態では、平面視して、浴槽床パン１０と洗場床パン２０との並設方向を長辺とした略長方形状とされた浴室床パン２を例示している。この浴室床パン２の平面視における外周寸法（浴槽床パン１０と洗場床パン２０との並設方向に沿う方向の寸法（幅寸法）及びこれに直交する方向の寸法（奥行寸法））は、建物内の浴室部分の躯体スペースに応じた寸法とされている。この浴室床パン２の外周寸法は、数種類にモジュール化（規格化）された浴室ユニット１の寸法に応じた寸法としてもよい。また、平面視して略正方形状とされた浴室床パン２としてもよい。
【００１４】
浴槽床パン１０及び洗場床パン２０は、平面視して略方形状とされており、互いに奥行寸法（上記並設方向に直交する方向の寸法）が略同寸法とされている。また、図例では、浴槽床パン１０の幅寸法（上記並設方向に沿う方向の寸法）を、洗場床パン２０の幅寸法よりも小さくした例を示しているが、これらの幅寸法を互いに略同寸法としてもよい。
また、これら浴槽床パン１０及び洗場床パン２０は、図４及び図７（ａ）に示すように、それぞれの底部１１，２１の四周端部に、四周端部から上方に向けて立ち上がるように一体的に形成された立上部１２，１３，２２，２３を設けた構成とされている。
これら浴槽床パン１０及び洗場床パン２０の底部１１，２１は、これら床パン１０，２０同士が連結された状態で、浴槽３が設置される床部となる浴槽床パン１０の底部１１が、洗場の床部となる洗場床パン２０の底部２１よりも下方側に位置する構成とされている（図１等参照）。また、これら浴槽床パン１０及び洗場床パン２０の立上部１２，１３，２２，２３は、これら床パン１０，２０同士が連結された状態で、それぞれの上端が略同高さに位置される。つまり、洗場床パン２０よりも浴槽床パン１０の深さ（高さ）が大きく形成されている。
【００１５】
また、これら床パン１０，２０同士が連結された状態で浴室床パン２の四周端部に位置する立上部１２，２２は、上記した壁パネル４，４，４，４が設置される壁立上部１２，２２を構成する。
これら壁立上部１２，２２は、図７（ａ）に示すように、床パン１０，２０同士が連結された状態で浴室床パン２の四周端部に沿って略一連状となるように形成されている。
また、これら壁立上部１２，２２の上下方向途中部位には、上方に向き、壁パネル４，４，４，４が載置される壁載置部１２ａ，２２ａが設けられている（図２（ａ）及び図５も参照）。これら壁立上部１２，２２の壁載置部１２ａ，２２ａは、床パン１０，２０同士が連結された状態で、それぞれの壁載置部１２ａ，２２ａの上面（壁載置部上面）１２ｂ，２２ｂが浴室床パン２の四周端部に沿って略一連状に略同高さに位置するように形成されている。
また、壁立上部１２，２２には、壁載置部１２ａ，２２ａから上方に向けて立ち上がる立上部としての上側部位１２ｃ，２２ｃが設けられている（図５及び図６も参照）。
なお、図４及び図７（ａ）に示すように、洗場床パン２０の建具５の設置箇所となる部位には、壁立上部２２が設けられておらず、建具５の設置部２２ｅとされている。この建具５の設置部２２ｅは、建具５の設置箇所に応じた位置に設けられる。
【００１６】
また、これら床パン１０，２０の互いの連結側に位置する立上部１３，２３は、連結側部を構成し、洗場側立上部１３及び浴槽側立上部２３をそれぞれ構成する。
また、本実施形態では、これら浴槽床パン１０と洗場床パン２０とを、図３（ａ）に示すように、一体成形された一体床パン９を切断して分割されたものとしている。このような構成とすることで、一体成形の床パンと同様に成形可能となり、一体成形の床パンと金型等を共通化できる。これにより、例えば、浴槽床パン１０と洗場床パン２０とを個別に成形するようなものと比べて成形性を向上させることができる。
また、本実施形態では、浴槽床パン１０及び洗場床パン２０の各底部１１，２１から立ち上がるように形成された堰部９ａにおいて分割されたものとしている。つまり、各床パン１０，２０の連結側部となる立上部１３，２３は、堰部９ａが分割されて形成されている。
【００１７】
この一体床パン９の堰部９ａは、図３（ａ）に示すように、各床パン１０，２０の連結側の立上部１３，２３と、これらの上端を接続するように略水平に形成された天部９ｂと、を一体的に形成した構成とされている。堰部９ａは、これら立上部１３，２３及び天部９ｂによってその裏面側に下方に向けて開口する凹溝を設けた形状とされている。また、堰部９ａは、浴槽床パン１０と洗場床パン２０との境界部に沿うように、一体床パン９の奥行方向の略全長に亘って延びるように設けられている。なお、この堰部９ａの天部９ｂは、その長手方向（床パン奥行方向）両端部が長手方向外方側に向かうに従い下方側に傾斜し、上記した壁載置部１２ａ，２２ａに連なり、その両端が壁立上部１２，２２の上側部位１２ｃ，２２ｃに連なるように形成されている（図２（ａ）、図５及び図６（ｂ）も参照）。
【００１８】
また、本実施形態では、各床パン１０，２０の連結側の立上部１３，２３の互いに対向するように形成された外側面（裏面）１３ａ，２３ａは、天部９ｂに向かうに従い互いに近接する側に傾斜する傾斜面とされている。つまり、上記凹溝の両側壁を構成する立上部１３，２３の外側面１３ａ，２３ａが下方に向かうに従い拡開するような傾斜面とされている。
図例では、浴槽床パン１０の立上部１３の外側面１３ａの天部９ｂの下面（裏面）に対する傾斜角度（内角）を、洗場床パン２０の立上部２３の外側面２３ａの天部９ｂの下面に対する傾斜角度（内角）よりも大きくした例を示している。
また、本実施形態では、これら立上部１３，２３自体を傾斜状に形成し、それぞれの外側面１３ａ，２３ａを上記のような傾斜面としている。つまり、これら立上部１３，２３の内側面（表面）側も同様の傾斜面とされている。
【００１９】
また、本実施形態では、図３（ａ）の二点鎖線で示すように、この堰部９ａの天部９ｂにおいて一体床パン９を切断し、浴槽床パン１０と洗場床パン２０とに分割している。また、切断ラインを堰部９ａの長手方向に沿わせて一体床パン９を切断し、浴槽床パン１０と洗場床パン２０とに分割している。
この一体床パン９の切断は、丸鋸等の適宜の切断機８によって切断するようにしてもよい。また、この一体床パン９の切断は、施工現場への搬送前の工場内等においてなされるものとしてもよく、または、施工現場等においてなされるものとしてもよい。
なお、図例では、堰部９ａの天部９ｂの幅方向略中央よりも洗場床パン２０側に寄った部位に沿って切断したような図となっているが、堰部９ａの幅が狭くなっている排水口周囲の部位においては、堰部９ａの天部９ｂの幅方向略中央において切断されている（図７（ａ）参照）。
【００２０】
また、この堰部９ａの裏面には、堰部９ａの長手方向に厚さ方向を沿わせた複数の縦リブ９ｃが堰部９ａの長手方向に沿って間隔を空けて設けられている。つまり、これら複数の縦リブ９ｃは、切断ラインに沿うように一体床パン９の裏面側に間隔を空けて設けられている。
これら縦リブ９ｃは、堰部９ａの天部９ｂの下面及び立上部１３，２３の外側面１３ａ，２３ａに沿うように一連状に形成されている。また、これら縦リブ９ｃは、堰部９ａの天部９ｂの下面から下方に向けて突出するように、また、立上部１３，２３の互いに対向するように形成された外側面１３，２３から対向方向に向けて突出するように形成されている。つまり、これら複数の縦リブ９ｃは、堰部９ａの裏面側の凹溝を横断するようにそれぞれ設けられている。
【００２１】
また、図例では、これら縦リブ９ｃを、各床パン１０，２０の底部１１，２１の下面（裏面）側にも至るように一連状に設けた例を示している。また、この一体床パン９の裏面には、これら縦リブ９ｃを含み、幅方向及び奥行方向に間隔を空けて複数のリブが略格子状に設けられている（図７（ｂ）参照）。これらリブは、各床パン１０，２０の裏面から下方に向けて突出するように設けられている。
また、これら縦リブ９ｃは、図３（ａ）の二点鎖線で示すように、堰部９ａの天部９ｂとともに切断される。本実施形態では、堰部９ａの天部９ｂを含み縦リブ９ｃを、浴槽床パン１０側及び洗場床パン２０側に分割するように、略垂直状（堰部９ａの天部９ｂの厚さ方向に沿う方向）に切断している。
【００２２】
このように分割された浴槽床パン１０及び洗場床パン２０の各立上部１３，２３の上端部には、堰部９ａの天部９ｂが切断されて連結側（切断側）の端部となる連結側端部１４，２４が形成される（図３（ｂ）等も参照）。これら連結側端部１４，２４は、各立上部１３，２３の上端部から互いに対向する方向に突出するように設けられており、互いに略同厚さ寸法とされている。
また、このように分割された浴槽床パン１０及び洗場床パン２０の各立上部１３，２３には、互いに対向する方向に向けて突出し、かつ上下に延びる複数の凸片部１５，２５が形成される（図３（ｂ）等も参照）。また、これら凸片部１５，２５は、浴槽床パン１０及び洗場床パン２０の各連結側端部１４，２４の下面及び各立上部１３，２３の外側面１３ａ，２３ａから一連状に突出する構成とされている。また、これら凸片部１５，２５は、それぞれの連結側端部１４，２４の先端面（対向する端面）からは対向方向に突出しないような構成とされている。つまり、これら凸片部１５，２５の先端面１５ａ，２５ａとそれぞれの連結側端部１４，２４の先端面とは、略同一平面状とされている。また、これら凸片部１５，２５の対向する先端面１５ａ，２５ａは、互いに略平行状でかつ略垂直面とされている。
【００２３】
また、これら浴槽床パン１０及び洗場床パン２０には、図４及び図７に示すように、排水トラップ等と連通される排水口や、アジャスターボルト（支持脚）が固定される固定部等が設けられている。
また、本実施形態では、各床パン１０，２０の平面視及び底面視した状態における形状を、奥行方向中心線を対称軸としてそれぞれ線対称状としている。また、各床パン１０，２０のそれぞれの切断側面に対面した状態における形状を、奥行方向中心線を対称軸としてそれぞれ線対称状としている（図２（ａ）も参照）。
なお、浴槽床パン１０及び洗場床パン２０は、合成樹脂系材料や金属系材料等から形成されたものとしてもよい。また、合成樹脂系材料としては、ガラス繊維や炭素繊維、鉱物繊維等の強化繊維を含有した繊維強化合成樹脂系材料（いわゆるＦＲＰ）としてもよい。
【００２４】
これら浴槽床パン１０と洗場床パン２０とは、これらのうちの一方の床パン２０（１０）に取り付けられる連結部材３０を介して互いに連結される。本実施形態では、図４（ａ）に示すように、洗場床パン２０に連結部材３０を取り付けた例を示している。この連結部材３０に浴槽床パン１０の連結側部としての立上部１３が止具２８によって締結され、浴槽床パン１０と洗場床パン２０とが連結される構造とされている。
本実施形態に係る分割床パンの防水構造は、図１に示すように、これら浴槽床パン１０及び洗場床パン２０同士の対向する連結側端部１４，２４間のシーリング材充填用の隙間１９の底部を形成するように、これら連結側端部１４，２４の裏面側に硬質系材料からなるシーリング材受体３１を隙間１９の略全長に亘って設けた構造とされている。
【００２５】
本実施形態では、シーリング材受体３１を、連結部材３０が備える連結本体３１とした例を示している。これによれば、床パン１０，２０同士を連結する連結部材３０（連結本体３１）を、後記するシーリング材２９の充填箇所の底部として機能させることができ、別途にバックアップ材を設けるようなものと比べて、構造の簡略化を図ることができる。
この連結本体３１には、隙間１９の底部となるシーリング材受部３２ｂ，３６ｂが隙間１９の略全長に亘って設けられている。
この連結本体３１は、合成樹脂系材料や金属系材料等の硬質系材料から形成されている。合成樹脂系材料としては、上記同様の繊維強化合成樹脂系材料としてもよい。
また、連結部材３０は、この連結本体３１及び洗場床パン２０に止具２６，２７によって固定され、浴槽床パン１０の立上部１３が止具２８によって固定される連結金具４３を備えている。
【００２６】
また、本実施形態では、この連結本体３１及び浴槽床パン１０に、床パン１０，２０同士が連結された状態でこれら床パン１０，２０同士の連結側端部１４，２４間に所定の隙間１９が形成されるように、止具２８の締結方向と略同方向に沿って互いに当接する当接部１３ａ，１５ａ，３３ａ，３６ｃをそれぞれに設けている。つまり、本実施形態では、シーリング材受体となる連結本体３１に、各床パン１０，２０の連結側端部１４，２４間にシーリング材充填用の所定の隙間１９を形成するための隙間形成位置決め部を設けた構造としている。これによれば、当接部１３ａ，１５ａ，３３ａ，３６ｃが互いに当接することで止具２８の締め付け過ぎを抑制できたり、止具２８を締め付け過ぎたような場合にも当接部１３ａ，１５ａ，３３ａ，３６ｃ同士の当接によって規制することができ、床パン１０，２０同士の連結側端部１４，２４間に所定の隙間１９を確保することができる。
【００２７】
また、連結本体３１に、洗場床パン２０に対する浴槽床パン１０の上下方向、床パン奥行方向（床パン１０，２０同士の継目部の長手方向に沿う方向）及び床パン幅方向（浴槽床パン１０と洗場床パン２０との並設方向に沿う方向）のうちの少なくとも一方向の位置決めを可能とする位置決め部３２ｃ，３８，４１，３３ａ，３６ｃを設けている。
また、連結本体３１は、浴槽床パン１０と洗場床パン２０との継目部に沿うように全長に亘って配される構成とされている。上記した位置決め部３２ｃ，３８，４１，３３ａ，３６ｃは、このように長尺とされた連結本体３１の全長または長手方向に間隔を空けて複数箇所に設けられている。
【００２８】
また、連結本体３１に、洗場床パン２０に対する当該連結本体３１の上下方向、床パン奥行方向に沿う方向及び床パン幅方向に沿う方向のうちの少なくとも一方向の位置決めを可能とする位置決め部３２ａ，３８，４０，３６ａを設けている。また、この位置決め部３２ａ，３８，４０，３６ａを、連結本体３１の全長または長手方向に間隔を空けて複数箇所に設けている。
本実施形態では、連結本体３１に、洗場床パン２０に対する浴槽床パン１０の上下方向、床パン奥行方向及び床パン幅方向のそれぞれの方向への位置決めを可能とする位置決め部３２ｃ，３８，４１，３３ａ，３６ｃを設けている。また、連結本体３１に、洗場床パン２０に対する当該連結本体３１の上下方向、床パン奥行方向に沿う方向及び床パン幅方向に沿う方向のそれぞれの方向への位置決めを可能とする位置決め部３２ａ，３８，４０，３６ａを設けている。
【００２９】
連結本体３１の上下方向位置決め部は、図１に示すように、洗場床パン２０の連結側端部２４の上面２４ａから浴槽床パン１０の連結側端部１４の厚さに応じて段下がり状に配され、浴槽床パン１０の連結側端部１４が載置される載置部３２ｃとされている。この載置部３２ｃは、シーリング材受部３２ｂ，３６ｂと略同一平面状とされ、浴槽床パン１０の連結側端部１４の下面に当接される当接部ともなる。
また、洗場床パン２０に対する連結本体３１の上下方向位置決め部は、図１に示すように、洗場床パン２０の連結側端部２４の下面に当接される当接部３２ａとされている。
連結本体３１の床パン奥行方向の位置決め部（奥行方向位置決め部）は、図１及び図２に示すように、浴槽床パン１０側に向けて開口し、この浴槽床パン１０の凸片部１５を受け入れる凹所（浴槽側凹所）４１とされている。
また、洗場床パン２０に対する連結本体３１の床パン奥行方向に沿う方向の位置決め部（奥行方向位置決め部）は、連結部材３０が取り付けられる洗場床パン２０に設けられた凸片部２５を受け入れる、連結本体３１の凹所（洗場側凹所）４０とされている。
【００３０】
また、本実施形態では、連結本体３１を、浴槽床パン１０の連結側端部１４の裏面形状に沿わせるように、載置部３２ｃ及び載置部３２ｃ間に浴槽床パン１０の凸片部１５をそれぞれに受け入れる複数の浴槽側凹所４１を設けた構造としている。これによれば、シーリング材充填箇所の深さの長手方向に沿う均一化や、床パン１０，２０同士の奥行方向の位置決めを可能としながらも、シーリング材受部３２ｂ，３６ｂ外へのシーリング材２９の過度の廻り込み（垂れ落ち）を抑制することができる。つまり、連結本体３１の載置部３２ｃ及び浴槽側凹所４１に嵌め込まれる浴槽床パン１０の凸片部１５によってシーリング材受部３２ｂ，３６ｂ外へのシーリング材２９の過度の廻り込み（垂れ落ち）を抑制することができる。
【００３１】
また、本実施形態では、連結本体３１を、洗場床パン２０の連結側端部２４の裏面形状に沿わせるように、当接部３２ａ及び当接部３２ａ間に洗場床パン２０の凸片部２５をそれぞれに受け入れる複数の洗場側凹所４０を設けた構造としている。これによれば、洗場床パン２０に対する連結部材３０（連結本体３１）の床パン奥行方向に沿う方向の位置決めを可能としながらも、上記と略同様、シーリング材受部３２ｂ，３６ｂ外へのシーリング材２９の過度の廻り込み（垂れ落ち）を抑制することができる。
【００３２】
また、本実施形態では、連結本体３１の浴槽側凹所４１の凹底部に、浴槽床パン１０が連結された状態で浴槽床パン１０の凸片部１５に押し潰される、厚さ方向を隙間１９の深さ方向に沿わせた薄棚リブ状の受部３７を設けている。これによれば、連結本体３１の浴槽側凹所４１とこれに嵌め込まれる浴槽床パン１０の凸片部１５との間にスムーズな連結を可能とするためのクリアランスや成形誤差等によって空隙が生じるような場合にも、浴槽側凹所４１の箇所におけるシーリング材２９の過度の廻り込み（垂れ落ち）を抑制することができる。なお、連結本体３１の洗場側凹所４０の凹底部にも、洗場床パン２０の凸片部２５に押し潰される、厚さ方向を隙間１９の深さ方向に沿わせた薄棚リブ状の受部を設けるようにしてもよい。
【００３３】
また、本実施形態では、止具２８の締結方向を、各床パン１０，２０の幅方向に略沿う方向とし、当接部１３ａ，１５ａ，３３ａ，３６ｃを洗場床パン２０に対する浴槽床パン１０の床パン幅方向の位置決めを可能とする幅方向位置決め部としている。
また、本実施形態では、隙間１９の長手方向に沿って間隔を空けて複数箇所に止具２８が締結される構造としている。また、連結本体３１及び浴槽床パン１０の当接部１３ａ，１５ａ，３３ａ，３６ｃを、少なくとも止具２８，２８間及び隙間１９の長手方向に沿う方向の両側端部に位置するように複数箇所に設けている。
また、本実施形態では、浴槽床パン１０の当接部１３ａ，１５ａを、複数の凸片部１５の先端面１５ａを含んだものとし、連結本体３１の当接部３３ａ，３６ｃを、浴槽側凹所４１の凹底面３６ｃを含んだものとしている。これによれば、例えば、互いの平板状部を当接部とした場合と比べて、止具２８の締結方向への規制が効果的になされ、より効果的に隙間１９を確保することができ、また、隙間１９の幅の長手方向に沿う均一化をより効果的に図ることができる。
【００３４】
また、本実施形態では、反隙間側となる裏面側の部位が互いに当接しないように、連結本体３１の浴槽側凹所４１及び浴槽床パン１０の凸片部１５のうちの少なくとも一方を形成している。例えば、成形誤差や成形後の変形等に起因して、浴槽側凹所４１の凹底面３６ｃ及び凸片部１５の先端面１５ａの互いの隙間１９側となる表面側の部位が当接せずに、反隙間側となる裏面側の部位が当接するようなことが考えられ、この場合、隙間１９が規定幅になり難くなることも考えられる。つまり、反隙間側となる裏面側の部位同士が当接すれば、隙間１９が規定幅よりも大きくなることが考えられる。上記構成によれば、隙間１９側となる表面側の部位を互いに効果的に当接させることができ、所定幅の隙間１９をより効果的に確保することができ、また、隙間１９の幅の長手方向に沿う均一化をより効果的に図ることができる。
【００３５】
また、洗場床パン２０に対する連結本体３１の床パン幅方向に沿う方向の位置決め部（幅方向位置決め部）は、洗場床パン２０及び連結本体３１にそれぞれ設けられ、洗場床パン２０の幅方向に沿って互いに当接される当接部２５ａ，３６ａとされている。
本実施形態では、洗場床パン２０の当接部２５ａを、複数の凸片部２５の先端面２５ａを含んだものとし、連結本体３１の当接部３６ａを、洗場側凹所４０の凹底面３６ａを含んだものとしている。これによれば、例えば、互いの平板状部を当接部とした場合と比べて、互いの床パン幅方向に沿う方向への規制が効果的になされ、より確実に床パン幅方向に沿う方向の位置決めを行うことができる。
【００３６】
次に、連結部材３０の具体的構成の一例について説明する。
連結本体３１は、図２（ａ）及び図４（ａ）に示すように、長尺状とされている。この連結本体３１は、その長さ寸法が、各床パン１０，２０の奥行寸法と略同寸法とされている。
また、連結本体３１は、図１に示すように、床パン１０，２０同士が連結された状態でこれらの境界部に形成される堰部（上記した堰部９ａに略相当する堰部）の裏面側の凹溝に嵌め込まれるような形状とされている。
また、本実施形態では、上記のように線対称状とされた各床パン１０，２０の形状に対応させて、連結本体３１を、長手方向中心線を対称軸として線対称状の形状としている。
また、連結本体３１は、その外郭形状が、各床パン１０，２０の裏面形状に略沿うように形成されている。
【００３７】
この連結本体３１は、上方に向く上面部３２を備えている。この上面部３２の幅寸法（各床パン１０，２０の幅方向に沿う寸法）は、各床パン１０，２０の連結側端部１４，２４の突出寸法（幅寸法）に隙間１９の幅寸法を足し合わせた寸法と略同寸法とされている。また、本実施形態では、この上面部３２を、各床パン１０，２０の連結側端部１４，２４の厚さ方向（上下方向）に厚さ方向を沿わせた薄板状としている。
【００３８】
この上面部３２の洗場側上面３２ａが洗場床パン２０の連結側端部２４の下面に当接される当接部となり、洗場床パン２０に対する連結本体３１の上下方向の位置決めを可能とする上下方向位置決め部となる。
また、この上面部３２の浴槽側上面３２ｃが浴槽床パン１０の連結側端部１４が載置される載置部となり、また、浴槽床パン１０の連結側端部１４の下面に当接される当接部ともなる。つまり、この上面部３２の浴槽側上面３２ｃは、洗場床パン２０に対する浴槽床パン１０の上下方向の位置決めを可能とする上下方向位置決め部となる。
また、この上面部３２の洗場側上面３２ａと浴槽側上面３２ｃとの間の中間上面３２ｂがシーリング材受部を構成し、シーリング材充填用の隙間１９の底部を構成する。
また、図例では、この上面部３２の幅方向両側を、それぞれに凹湾曲面形状とされた各床パン１０，２０の連結側の立上部１３，２３と連結側端部１４，２４との入隅部の形状に対応させて凸湾曲面形状としている。
【００３９】
また、連結本体３１は、この上面部３２の浴槽床パン１０側に連なるように設けられた側面部３３を備えている。この側面部３３の浴槽床パン１０側に向く浴槽側面３３ａは、浴槽床パン１０の立上部１３の外側面１３ａに沿う形状とされている。また、この側面部３３の浴槽側面３３ａ及び浴槽床パン１０の立上部１３の外側面１３ａが止具２８の締結方向と略同方向に沿って互いに当接する当接部を構成し、洗場床パン２０に対する浴槽床パン１０の床パン幅方向の位置決めを可能とする幅方向位置決め部を構成する。
また、本実施形態では、この側面部３３自体の形状を、上記した浴槽床パン１０の立上部１３の傾斜形状に沿わせた形状としており、側面部３３を、この立上部１３の厚さ方向に厚さ方向を沿わせた薄板状としている。
【００４０】
また、連結本体３１には、洗場床パン２０側及び浴槽床パン１０側に向けてそれぞれ開口する洗場側凹所４０及び浴槽側凹所４１が設けられている。
これら洗場側凹所４０及び浴槽側凹所４１は、各床パン１０，２０に設けられた複数の凸片部１５，２５に対応した位置となるように複数箇所に設けられている（図２（ａ）参照）。上記した連結本体３１の側面部３３は、側面部３３間のそれぞれに浴槽側凹所４１を形成するように、これら浴槽側凹所４１を隔てるようにして当該連結本体３１の長手方向に沿って複数箇所に設けられている。
【００４１】
また、本実施形態では、これら洗場側凹所４０及び浴槽側凹所４１を、上方にも開口する形状としている。上記した連結本体３１の上面部３２は、上面部３２間のそれぞれに洗場側凹所４０及び浴槽側凹所４１を形成するように、これら洗場側凹所４０及び浴槽側凹所４１を隔てるようにして当該連結本体３１の長手方向に沿って複数箇所に設けられている。
また、これら洗場側凹所４０及び浴槽側凹所４１は、各床パン１０，２０の凸片部１５，２５に対応させて上下方向に延びるスリット状とされている。
これら洗場側凹所４０及び浴槽側凹所４１のそれぞれの両内側面（各凸片部１５，２５の厚さ方向両側面に対面する面）は、図２に示すように、互いに略平行状に形成された両側の凹所側壁部３５，３５の対向面とされている。
凹所側壁部３５は、上面部３２及び側面部３３に連なるように形成されており、側面部３３の端部（連結本体３１の長手方向に沿う方向の端部）から洗場床パン２０側に向けて突出するように形成されている。
【００４２】
この凹所側壁部３５の突出方向先端面となる洗場床パン２０側に向く面は、洗場床パン２０の立上部２３の外側面２３ａに沿う形状とされている。なお、この凹所側壁部３５の突出方向先端面及び洗場床パン２０の立上部２３の外側面２３ａを、洗場床パン２０の幅方向に沿って互いに当接される当接部を構成し、洗場床パン２０に対する連結本体３１の床パン幅方向に沿う方向の位置決めを可能とする幅方向位置決め部を構成するものとしてもよい。
また、図例では、この凹所側壁部３５を、側面部３３の下端よりも下方側に突出させるように形成している。
【００４３】
また、洗場側凹所４０及び浴槽側凹所４１のそれぞれの凹底面（各凸片部１５，２５の先端面１５ａ，２５ａに対面する面）は、図２（ｂ）、（ｃ）に示すように、凹所底壁部３６の両側面３６ａ，３６ｃとされている。
この凹所底壁部３６は、厚さ方向を各床パン１０，２０の幅方向に沿わせた薄板状とされており、両側の凹所側壁部３５，３５を連結するように形成されている。
この凹所底壁部３６の洗場床パン２０側に向く洗場側凹底面３６ａ及び洗場床パン２０の凸片部２５の先端面２５ａが洗場床パン２０の幅方向に沿って互いに当接される当接部を構成し、洗場床パン２０に対する連結本体３１の床パン幅方向に沿う方向の位置決めを可能とする幅方向位置決め部を構成する。
また、この凹所底壁部３６の浴槽床パン１０側に向く浴槽側凹底面３６ｃ及び浴槽床パン１０の凸片部１５の先端面１５ａが止具２８の締結方向と略同方向に沿って互いに当接する当接部を構成し、洗場床パン２０に対する浴槽床パン１０の床パン幅方向の位置決めを可能とする幅方向位置決め部を構成する。
【００４４】
この凹所底壁部３６の厚さ寸法は、シーリング材充填用の隙間１９の幅寸法に応じた寸法とされている。また、本実施形態のように、一体床パン９を切断して浴槽床パン１０と洗場床パン２０とに分割したものとした場合には、この凹所底壁部３６の厚さ寸法を、切断機８の刃幅寸法に応じた寸法としてもよい。また、この凹所底壁部３６の厚さ寸法（つまりは、隙間１９の幅寸法）は、シーリング材充填用の隙間１９が余りにも小さければ、シーリング材２９の充填がし難くなり、余りにも大きければ、作業性や防水性が低下する傾向があることから、例えば、１ｍｍ〜２０ｍｍ程度、好ましくは、３ｍｍ〜１０ｍｍ程度としてもよい。
【００４５】
また、この凹所底壁部３６の上面３６ｂは、洗場側凹所４０及び浴槽側凹所４１の両側に位置する上面部３２，３２に連なるように形成されており、これら両側の上面部３２，３２の中間上面３２ｂ，３２ｂと同一平面状とされている。この凹所底壁部３６の上面３６ｂが、上面部３２の中間上面３２ｂとともに、シーリング材受部を構成し、シーリング材充填用の隙間１９の底部を構成する。これら凹所底壁部３６の上面３６ｂ及び上面部３２の中間上面３２ｂによって底部が形成される隙間１９の深さ寸法（各連結側端部１４，２４の厚さ寸法に応じた寸法）は、上記同様の観点から、例えば、１ｍｍ〜２０ｍｍ程度、好ましくは、３ｍｍ〜１０ｍｍ程度としてもよい。
【００４６】
また、本実施形態では、図２（ｃ）に示すように、この凹所底壁部３６を、洗場側凹所４０及び浴槽側凹所４１の反隙間側部位に互いに連通する開口が形成されるように、これらの隙間１９側部位のみに設けている。つまり、凹所底壁部３６を、反隙間側となる各凸片部１５，２５の下側部位には当接しないように、凹所底壁部３６の上下寸法を、各凸片部１５，２５の先端部の上下寸法よりも小さくしている。図例では、凹所底壁部３６の上下寸法を、各凸片部１５，２５の先端部の上下寸法の１／３程度とした例を示している。なお、このような態様に代えて、凹所底壁部３６の上下寸法と各凸片部１５，２５の先端部の上下寸法とを略同寸法とし、凹所底壁部３６の反隙間側部位を薄くしたような態様としてもよい。また、これらの態様に代えて、または加えて、浴槽床パン１０の凸片部１５（及び洗場床パン２０の凸片部２５）の先端部の反隙間側部位を凹ませたり、反隙間側部位を欠如させたりしたような態様としてもよい。
【００４７】
また、図２（ｂ）、（ｃ）に示すように、この凹所底壁部３６の浴槽側凹底面３６ｃから浴槽床パン１０側に向けて突出するように、薄棚リブ状受部３７を設けている。この薄棚リブ状受部３７は、厚さ方向を上下方向に沿わせ、両側の凹所側壁部３５，３５間に架け渡されるように形成されている。
また、本実施形態では、凹所底壁部３６の上端部近傍部位に、薄棚リブ状受部３７を設けている。これによれば、浴槽側凹所４１の箇所におけるシーリング材２９の過度の廻り込み（垂れ落ち）をより効果的に抑制することができる。
【００４８】
なお、この薄棚リブ状受部３７の突出寸法及び厚さ寸法は、浴槽床パン１０の凸片部１５によって概ね全体が押し潰されるように、適宜の寸法としてもよい。また、図例では、単一の薄棚リブ状受部３７を浴槽側凹所４１の凹底部に設けた例を示しているが、複数の薄棚リブ状受部３７を、隙間１９の深さ方向（本実施形態では、上下方向）に沿って間隔を空けて浴槽側凹所４１の凹底部に設けるようにしてもよい。また、図例では、厚さ方向に見て略矩形状とされた薄棚リブ状受部３７とした例を示しているが、厚さ方向に見て浴槽床パン１０側に向けて開口する略コ字形状（略Ｕ字形状または略Ｃ字形状）とされた薄棚リブ状受部３７としてもよい。
【００４９】
また、洗場側凹所４０及び浴槽側凹所４１のそれぞれの凹所下底面（各凸片部１５，２５の下端面に対面する面）は、図１及び図２に示すように、凹所下壁部３８の上面とされている。
この凹所下壁部３８は、厚さ方向を上下方向に沿わせた薄板状とされており、両側の凹所側壁部３５，３５の下端部を連結するように形成されている。このような構成により、洗場側凹所４０及び浴槽側凹所４１は、両側の凹所側壁部３５，３５、凹所底壁部３６及び凹所下壁部３８によって区画形成され、当該連結本体３１の幅方向外方側及び上方に向けて開口するような形状とされている。
また、この凹所下壁部３８は、各床パン１０，２０の凸片部１５，２５の下端部が当接される構成とされ、上下方向位置決め部を構成する。これによれば、連結本体３１の上面部３２に加え、この凹所下壁部３８によって各床パン１０，２０に対する連結部材３０（連結本体３１）の上下方向の位置決めをより確実に行うことができる。
なお、図２（ａ）に示すように、連結本体３１の浴槽床パン１０側の上側部位には、浴槽床パン１０の連結側端部１４の下面に突出するように設けられたボス部を受け入れる凹所が設けられている。浴槽床パン１０に設けられたボス部は、浴槽床パン１０の連結側端部１４の上面において開口し、ナット部材を受け入れる構成とされている。
【００５０】
また、図例では、連結本体３１に、側面部３３の下端部に連なるように洗場床パン２０側に向けて突出する下面部３４を設けている。この下面部３４は、厚さ方向を上下方向に沿わせた薄板状とされ、上面部３２と略平行状に形成されている。また、この下面部３４は、側面部３３の両側に連なるように形成された両側の凹所側壁部３５，３５間に架け渡されるように形成されている。
このような構成により、連結本体３１は、上面部３２、側面部３３、この側面部３３の両側の凹所側壁部３５，３５及び下面部３４によって洗場床パン２０側に向けて開口する凹所を、洗場側凹所４０間に設けたような形状とされている（図１及び図２（ａ）参照）。
【００５１】
なお、連結本体３１の長手方向両端側部位は、長手方向外方側に向かうに従い下方側に傾斜し、壁載置部１２ａ，２２ａに連なるように形成された各床パン１０，２０の連結側端部１４，２４の隙間長手方向に沿う両端側部位の形状に応じた形状とされている（図２（ａ）参照）。つまり、連結本体３１の長手方向両端側部位の上面部３２及び凹所底壁部３６の上面３６ｂは、長手方向外方側に向かうに従い下方側に傾斜するように形成されている。
また、連結本体３１の長手方向両端部には、各床パン１０，２０の連結側端部１４，２４の隙間長手方向に沿う両端部に連なるように設けられた壁載置部１２ａ，２２ａの下面に当接される側端当接部３９，３９が設けられている（図２（ａ）及び図６（ａ）参照）。
【００５２】
これら両側の側端当接部３９，３９は、それぞれの上面が壁載置部１２ａ，２２ａの下面に当接される。これら両側の側端当接部３９，３９の上面は、上記した上面部３２の上面３２ａ，３２ｂ，３２ｃ及び凹所底壁部３６の上面３６ｂと同様、上下方向位置決め部及びシーリング材受部として機能する。また、これら両側の側端当接部３９，３９には、各床パン１０，２０の連結側端部１４，２４の隙間長手方向に沿う両端縁下面に設けられた上記同様の凸片部の先端面に当接される側端リブが設けられている。これら両側の側端リブの厚さ方向両側面は、凹所底壁部３６の両側面３６ａ，３６ｃと同様、当接部及び幅方向位置決め部として機能する。
なお、連結本体３１は、その全長に亘って一体的に形成されたものに限られず、長手方向に分割された複数部材からなるものとし、これらを長手方向に突き合わせて接合して上記形状とされたものとしてもよい。
【００５３】
連結金具４３は、図１に示すように、止具２７によって連結本体３１に固定される。また、連結金具４３は、浴槽床パン１０に止具２８によって締結されて固定される第１固定片４４と、洗場床パン２０に止具２６によって締結されて固定される第２固定片４５と、を備えている。本実施形態では、連結金具４３の連結本体３１に固定される部位と浴槽床パン１０に固定される部位とを、第１固定片４４に設けている。
【００５４】
また、本実施形態では、第１固定片４４を、浴槽床パン１０と洗場床パン２０との並設方向に厚さ方向を概ね沿わせるように浴槽床パン１０の立上部１３に対して平行状に配され、浴槽床パン１０が固定されるものとしている。また、第２固定片４５を、この第１固定片４４に対して直交状に設けられ、かつ床パン奥行方向に厚さ方向を沿わせるように配され、洗場床パン２０に固定されるものとしている。
また、本実施形態では、連結部材３０を、連結本体３１の長手方向に沿って間隔を空けて連結本体３１にそれぞれ固定される複数の連結金具４３を備えたものとしている。なお、図２（ａ）では、連結金具４３の図示を省略している。
【００５５】
第１固定片４４は、図１に示すように、連結本体３１の側面部３３の洗場床パン２０側に向く洗場側面に沿うように、止具２７によって連結本体３１に固定される。
この第１固定片４４には、当該第１固定片４４を厚さ方向に貫通する止具２７の挿通孔４４ａが設けられている。この挿通孔４４ａは、第１固定片４４に複数設けるようにしてもよい。また、連結本体３１の側面部３３には、この第１固定片４４の挿通孔４４ａに対応させて、止具２７の止着箇所としての止具穴３３ｃが洗場側面において開口するように設けられている（図２（ａ）も参照）。図例では、連結本体３１の側面部３３の止具穴３３ｃを、洗場側面から厚さ方向に突出するように形成され、第１固定片４４の挿通孔４４ａに挿入されるボス部に設けている。
連結金具４３は、この第１固定片４４の挿通孔４４ａを介して連結本体３１の止具穴３３ｃに止着した止具２７によって連結本体３１に固定される。
【００５６】
また、第１固定片４４には、止具２８の止着箇所としての止具孔４４ｂが設けられている。図例では、この止具孔４４ｂを、第１固定片４４の厚さ方向に貫通させた貫通孔としている。連結本体３１の側面部３３には、この第１固定片４４の止具孔４４ｂに対応させて、当該側面部３３を厚さ方向に貫通する止具２８の挿通孔３３ｂが設けられている。また、浴槽床パン１０の立上部１３には、この第１固定片４４の止具孔４４ｂに対応させて、当該立上部１３を厚さ方向に貫通する止具２８の挿通孔１３ｂが設けられている。
【００５７】
このような構成により、浴槽床パン１０の立上部１３の内側面側から挿通孔１３ｂ，３３ｂを介して第１固定片４４の止具孔４４ｂに止着した止具２８によって浴槽床パン１０が連結部材３０（連結金具４３）に固定される。また、図７（ａ）に示すように、隙間１９の長手方向に沿って間隔を空けて浴槽床パン１０の立上部１３の複数箇所に止具２８が締結されることとなる。また、これら複数の止具２８，２８間及び隙間１９の長手方向に沿う方向の両側端部に少なくとも位置するように、連結本体３１の当接部を構成する凹所底壁部３６及び浴槽床パン１０の当接部を構成する凸片部１５が設けられることとなる。
【００５８】
第２固定片４５は、図１に示すように、第１固定片４４の一縁部から洗場床パン２０側に向けて突出するように、かつこの第１固定片４４に対して略直交状に形成されている。これら第１固定片４４と第２固定片４５とは、プレスや折り曲げ等によって一体的に形成されている。
また、この第２固定片４５は、本実施形態では、その厚さ方向が洗場床パン２０の凸片部２５の厚さ方向に沿うように形成され、洗場床パン２０の凸片部２５に止具２６によって固定される構成とされている。図例では、洗場床パン２０の底部２１の裏面側にも至るように一連状に設けられた凸片部２５の底部２１の裏面側部位に第２固定片４５を固定した例を示している。
【００５９】
また、第２固定片４５には、当該第２固定片４５を厚さ方向に貫通し、洗場床パン２０に止着される止具２６の挿通孔４５ａが設けられている。本実施形態では、第２固定片４５に複数（図例では、３つ）の挿通孔４５ａを設けている。
この連結金具４３の第２固定片４５の挿通孔４５ａを介して洗場床パン２０の凸片部２５に止着した止具２６によって洗場床パン２０に連結部材３０が固定される。
また、図例では、第２固定片４５を、厚さ方向に見て略Ｌ字形状とし、その一片部に第１固定片４４を連なるように設け、他片部に複数の挿通孔４５ａを設けた例を示している。
【００６０】
なお、図２（ａ）及び図７（ｂ）と図４とでは、連結本体３１の各凹所４０，４１及び各床パン１０，２０の凸片部１５，２５の個数を異ならせたようなものを図示しているが、これらの個数は図例の個数に限られず、適宜の個数としてもよい。
また、連結本体３１の外郭形状は、上記した例に限られず、各床パン１０，２０の裏面形状等に応じて、適宜、変形可能である。また、連結金具４３の形状も同様、適宜、変形可能である。また、連結本体３１と連結金具４３とからなる連結部材３０に限られず、これらを一体的に設けたような連結部材３０としてもよい。
また、上記した連結部材３０の洗場床パン２０への固定は、施工現場への搬送前の工場内等においてなされるものとしてもよく、または、施工現場等においてなされるものとしてもよい。
【００６１】
上記構成とされた浴室床パン２は、以下のように施工するようにしてもよい。
まず、図４に示すように、連結部材３０が固定された洗場床パン２０を設置する。この際、洗場床パン２０のアジャスターボルトを調整し、洗場床パン２０の上下のレベル調整を行うようにしてもよい。
次いで、浴槽床パン１０を設置する。この際、図３（ｂ）及び図４（ｂ）に示すように、設置された洗場床パン２０の連結部材３０に対して、浴槽床パン１０を下方に移動させ、浴槽床パン１０を設置するようにしてもよい。
また、この際、浴槽床パン１０の各凸片部１５を、連結部材３０の各浴槽側凹所４１に、それぞれの上方開口を介して嵌め入れるようにして浴槽床パン１０を下方に移動させるようにしてもよい。これにより、洗場床パン２０に対する浴槽床パン１０の奥行方向の位置決めがなされる。また、これにより、各床パン１０，２０の奥行方向両側面（壁立上部１２，２２の外側面）が略同一平面状となる。
【００６２】
また、この際、浴槽床パン１０の連結側端部１４を、連結部材３０の載置部としての浴槽側上面３２ｃに載置するようにしてもよい。これにより、洗場床パン２０の連結側端部２４に対する浴槽床パン１０の連結側端部１４の上下方向の位置決めがなされる。また、これにより、各床パン１０，２０の連結側端部１４，２４の上面１４ａ，２４ａが略同一平面状となる。
また、この際、浴槽床パン１０のアジャスターボルトを調整し、浴槽床パン１０の上下のレベル調整を行うようにしてもよい。
そして、浴槽床パン１０の立上部１３を、上記のように、止具２８によって連結部材３０に締結して固定する。この止具２８の締め付けに伴い、浴槽床パン１０の立上部１３の外側面１３ａが連結部材３０（連結本体３１）の側面部３３の浴槽側面３３ａに当接する（図１参照）。また、浴槽床パン１０の凸片部１５の先端面１５ａが連結部材３０（連結本体３１）の凹所底壁部３６の浴槽側凹底面３６ｃに当接する。これにより、各床パン１０，２０の連結側端部１４，２４間にシーリング材充填用の所定の隙間１９が形成される。また、これにより、洗場床パン２０に対する浴槽床パン１０の幅方向の位置決めがなされる。
【００６３】
上記のように床パン１０，２０同士を連結した状態では、図１及び図２（ｂ）に示すように、連結本体３１のシーリング材受部３２ｂ，３６ｂが、連結側端部１４，２４間に奥行方向の略全長に亘って形成された隙間１９の底部を形成するように隙間１９の略全長に亘って配される。
本実施形態に係る防水構造は、この隙間１９にシーリング材２９を充填し、浴槽床パン１０及び洗場床パン２０の各連結側端部１４，２４の表面１４ａ，２４ａに跨るようにシーリング材２９を覆う防水テープ４６を隙間１９の略全長に亘って貼着した構造とされている。本実施形態では、上記したように、浴槽床パン１０と洗場床パン２０とを、堰部９ａの天部９ｂにおいて分割されたものとし、防水テープ４６を堰部の天部上面となる浴槽床パン１０及び洗場床パン２０の各連結側端部１４，２４の上面１４ａ，２４ａに跨るように貼着している。
【００６４】
シーリング材２９は、ペースト状とされたシリコーン系シーラント等の樹脂系シーラントとしてもよい。
このシーリング材２９は、隙間１９の略全長に亘って充填されている。また、シーリング材２９は、浴槽床パン１０及び洗場床パン２０の各連結側端部１４，２４の上面１４ａ，２４ａから上方に突出しないように充填するようにしてもよい。例えば、シーリング材２９を、その上面が各連結側端部１４，２４の上面１４ａ，２４ａと略同一平面状または各連結側端部１４，２４の上面１４ａ，２４ａよりも僅かに下側位置となるように充填するようにしてもよい。
【００６５】
また、このシーリング材２９は、隙間１９の幅方向両側の各床パン１０，２０の連結側端部１４，２４の上面１４ａ，２４ａに、適宜、マスキングテープ（養生テープ）を隙間１９の全長に亘って貼着した状態で充填するようにしてもよい。これにより、防水テープ４６の被着面となる各連結側端部１４，２４の上面１４ａ，２４ａを保護することができる。
また、各床パン１０，２０の連結側端部１４，２４の隙間長手方向に沿う両端部に連なるように設けられた壁載置部１２ａ，２２ａから上方に突出する壁立上部１２，２２の上側部位１２ｃ，２２ｃ間の隙間にも一連状にシーリング材２９を充填するようにしてもよい（図５（ａ）参照）。この場合は、壁立上部１２，２２の上側部位１２ｃ，２２ｃの裏面（外側に向く面）に、これらの間の隙間を塞ぐように、アルミテープ等のテープを貼着するようにしてもよい。または、連結部材３０（連結本体３１）に、上側部位１２ｃ，２２ｃ間の隙間を裏面側から覆う部位を設けるようにしてもよい。
【００６６】
防水テープ４６は、図５（ａ）に示すように、薄いシート状（フィルム状）とされており、ポリエチレンやＥＶＡ（エチレンー酢酸ビニル共重合樹脂）等の合成樹脂系材料からなる基材の裏面に粘着剤が塗布された粘着テープとしてもよい。
この防水テープ４６の幅寸法は、堰部天部上面となる各連結側端部１４，２４の上面１４ａ，２４ａ及び隙間１９の幅寸法に応じた寸法としてもよい。
また、本実施形態では、図５（ｂ）及び図６（ａ）に示すように、防水テープ４６を、各連結側端部１４，２４の隙間長手方向両端部の壁載置部上面１２ｂ，２２ｂ及び壁載置部１２，２２の上側部位１２ｃ，２２ｃの互いに対向する面（内側面）１２ｄ，２２ｄにも貼着している。また、本実施形態では、上側部位１２ｃ，２２ｃの上端面及び外側に向く面（反対向面、裏面）にも防水テープ４６を貼着している。
【００６７】
この防水テープ４６は、上記した各部位に、一連状に切目なく貼着するようにしてもよい。
また、この防水テープ４６の厚さ寸法は、防水性や貼着性等の観点から適宜の厚さ寸法とされたものとしてもよい。上記したように壁載置部上面１２ｂ，２２ｂにも貼着した場合には、その上側に設置される壁パネル４や後記するように防水パッキン４７が貼着される場合には防水パッキン４７の浮き等を抑制する観点等から、防水テープ４６の厚さ寸法を、０．５ｍｍ以下としてもよい。また、この防水テープ４６の厚さ寸法は、薄くし過ぎれば破断し易くなる傾向があることから、０．１ｍｍ以上としてもよい。
【００６８】
また、本実施形態では、各連結側端部１４，２４の隙間長手方向両端部の壁載置部上面１２ｂ，２２ｂに貼着された防水テープ４６上を含み、浴槽床パン１０及び洗場床パン２０の周端部に設けられた壁載置部上面１２ｂ，２２ｂに防水パッキン４７を貼着している。
防水パッキン４７は、天然ゴムや合成ゴム、独立気泡型の発泡系材料等から形成され、圧縮変形可能とされたものとしてもよい。また、このような基材の裏面に粘着剤が塗布されたものとしてもよい。また、粘着剤を保護する剥離紙（剥離フィルム）等が添着されたテープ状のものとしてもよい。
【００６９】
この防水パッキン４７は、浴槽床パン１０及び洗場床パン２０の周端部（浴室床パン２の周端部）に設けられた壁載置部上面１２ｂ，２２ｂの略全長に亘って貼着されている。
また、この防水パッキン４７は、図５（ｂ）及び図６（ａ）に示すように、厚さ方向を上下方向に沿わせ、幅方向一側部を壁立上部１２，２２の上側部位１２ｃ，２２ｃに沿わせるように貼着されている。
この防水パッキン４７の幅寸法は、壁載置部上面１２ｂ，２２ｂの幅寸法に応じた寸法とされている。
この防水パッキン４７の厚さ寸法は、壁載置部上面１２ｂ，２２ｂ（防水テープ４６）と壁パネル４の下端部との間における防水性の観点等から適宜、設定するようにしてもよく、例えば、２ｍｍ〜１０ｍｍ程度としてもよい。
【００７０】
この防水パッキン４７上に、図６（ａ）に示すように、壁パネル４が設置される。図例では、壁パネル４の下端部に、壁立上部１２，２２の上側部位１２ｃ，２２ｃが嵌め込まれる下向き開口形状の凹溝を設けた例を示している。
なお、この防水パッキン４７は、例えば、コーナー部等においては重ね貼りとならないように突き合せて貼着するようにしてもよい。
【００７１】
また、本実施形態では、図１及び図６（ｂ）に示すように、堰部の天部上面及び少なくとも上側部位の幅方向両側部を全長に亘って覆う下方開口形状のカバー４８を更に設けている。つまり、このカバー４８は、堰部の天部上面となる連結された各床パン１０，２０の連結側端部１４，２４の上面１４ａ，２４ａ及びシーリング材２９の上面、並びに堰部の幅方向両側部となる各床パン１０，２０の立上部１３，２３の少なくとも上側部位の内側面（表面）を覆う構成とされている。図例では、このカバー４８を、浴槽床パン１０の立上部１３の上端から１／４程度の部位を覆い、洗場床パン２０の立上部２３の上端から１／２程度の部位を覆う構成とした例を示しているが、このような態様に限られない。
【００７２】
このカバー４８は、図１に示すように、堰部の表面形状に応じた形状とされている。また、カバー４８の長手方向両端側部位は、長手方向外方側に向かうに従い下方側に傾斜し、壁載置部１２ａ，２２ａに連なるように形成された各床パン１０，２０の連結側端部１４，２４の隙間長手方向に沿う両端側部位の形状に応じた形状とされている。
このカバー４８は、連結側端部１４，２４の上面１４ａ，２４ａ及びシーリング材２９の上面を覆う上カバー部４８ａを備えている。また、カバー４８は、この上カバー部４８ａの幅方向両端から垂れ下がり、立上部１３，２３の内側面の上側部位を覆う両側カバー部４８ｂ，４８ｃを備えている。これら上カバー部４８ａ及び両側カバー部４８ｂ，４８ｃは、いずれも薄板状とされ、互いに略同厚さ寸法とされている。
また、これら上カバー部４８ａ及び両側カバー部４８ｂ，４８ｃは、それぞれの裏面が対応する連結側端部１４，２４の上面１４ａ，２４ａ及び立上部１３，２３の内側面に近接または当接されるように形成されている。
【００７３】
また、両側カバー部４８ｂ，４８ｃのうちの浴槽床パン１０の立上部１３を覆う側カバー部４８ｂの下側部位は、立上部１３の内側面から突出する止具２８の頭部を受け入れ可能なように、堰部の幅方向外方側に向けて膨らむように屈曲した形状とされている。また、この側カバー部４８ｂの長手方向途中部位の下端部に、上記のように排水口周囲において幅狭とされた堰部の形状に対応させて堰部側に突出する突片部を設けるようにしてもよい。
また、図例では、これら両側カバー部４８ｂ，４８ｃの下端部に、各立上部１３，２３の内側面との間でシーリング材充填箇所となる凹所を設け、それぞれの凹所に上記同様のシーリング材４９，４９を充填した例を示している。なお、このカバー４８の周縁部の全周に亘ってシーリング材４９を充填するようにしてもよい。
【００７４】
このカバー４８は、上記のように防水テープ４６を貼着した後に、取り付けられる。
また、カバー４８の上カバー部４８ａには、図６に示すように、上記した浴槽床パン１０に設けられたボス部のナット部材に応じた位置となるように止具の挿通孔が形成されている。カバー４８は、この挿通孔を介してナット部材に止着した止具によって浴室床パン２の堰部に取り付けるようにしてもよい。なお、このような態様に代えて、または加えて、カバー４８を、接着剤や粘着材等によって浴室床パン２の堰部に取り付けるようにしてもよい。また、このカバー４８は、壁パネル４を設置した後に取り付けるようにしてもよい。
なお、カバー４８は、合成樹脂系材料や金属系材料等から形成されたものとしてもよく、合成樹脂系材料としては、上記同様の繊維強化合成樹脂系材料としてもよい。
また、図６（ｂ）では、壁パネル４の図示を省略している。
また、図７（ａ）では、連結した状態の床パン１０，２０同士の連結側端部１４，２４間にシーリング材２９を充填した状態を示しており、防水テープ４６や防水パッキン４７、カバー４８、壁パネル４等の図示を省略している。
【００７５】
本実施形態に係る分割床パンの防水構造は、上述のような構成としたことで、分割された床パン１０，２０同士の継目部における防水性を向上させることができる。
つまり、分割された浴槽床パン１０及び洗場床パン２０の連結側端部１４，２４間のシーリング材充填用の隙間１９の底部を形成するように、これら連結側端部１４，２４の裏面側に硬質系材料からなるシーリング材受体３１を隙間１９の全長に亘って設けている。また、この隙間１９にシーリング材２９を充填した構造としている。従って、従来のようなパッキン材がシーリング材（コーキング材）２９の充填箇所の底部（バックアップ）を構成するようなものと比べて、シーリング材充填箇所の深さの長手方向に沿う均一化を図ることができる。これにより、隙間１９に充填したシーリング材充填量の長手方向に沿う均一化を図ることができ、分割された床パン１０，２０同士の継目部における防水性を向上させることができる。また、パッキン材をバックアップ材とするようなものと比べて、経年変化を生じ難くすることができる。
また、浴槽床パン１０及び洗場床パン２０の各連結側端部１４，２４の表面（上面）１４ａ，２４ａに跨るようにシーリング材２９を覆う防水テープ４６を隙間１９の全長に亘って貼着した構造としている。従って、分割された床パン１０，２０同士の継目部における防水性をより向上させることができる。また、上記のように隙間１９に充填したシーリング材２９の充填量の長手方向に沿う均一化を図ることができるので、シーリング材充填後の隙間表面側に極端な凹凸等が形成され難く、防水テープ４６を安定的に貼着することができる。
【００７６】
また、本実施形態では、防水テープ４６を、浴槽床パン１０及び洗場床パン２０の各連結側端部１４，２４の隙間長手方向両端部の壁載置部上面１２ｂ，２２ｂ及び壁立上部１２，２２の上側部位１２ｃ，２２ｃの互いに対向する面（内側面）１２ｄ，２２ｄにも貼着している。従って、分割された床パン１０，２０同士の継目部における防水性をより向上させることができる。また、壁載置部上面１２ｂ，２２ｂ及び上側部位１２ｃ，２２ｃの内側面１２ｄ，２２ｄに貼着された防水テープ４６の表面側には壁パネル４が配設されるため、当該部位における防水テープ４６の剥がれ等を抑制することができる。また、これにより、防水テープ４６を切目なく隙間長手方向に沿って一連状に貼着した構造とすれば、長手方向両端側における防水テープ４６の剥がれ等を抑制することができる。なお、このような態様に代えて、上側部位１２ｃ，２２ｃの内側面１２ｄ，２２ｄには防水テープ４６を貼着しないようにしてもよい。
【００７７】
また、本実施形態では、壁載置部上面１２ｂ，２２ｂに防水パッキン４７を貼着しているので、この防水パッキン４７上に壁パネル４が配設されることとなり、浴室床パン２と壁パネル４との継目部における防水性を向上させることができる。
また、防水テープ４６を０．５ｍｍ以下としているので、この防水テープ４６上を含み、壁載置部上面１２ｂ，２２ｂに一連状に貼着される防水パッキン４７と防水テープ４６両側の壁載置部上面１２ｂ，２２ｂとの隙間を効果的に小さくすることができる。なお、このような態様に限られず、例えば、防水パッキン４７を設けないようにしてもよい。
【００７８】
また、本実施形態では、浴槽床パン１０と洗場床パン２０とを、堰部９ａの天部９ｂにおいて分割されたものとし、防水テープ４６を堰部の天部上面となる浴槽床パン１０及び洗場床パン２０の各連結側端部１４，２４の上面１４ａ，２４ａに跨るように貼着した構造としている。従って、分割された床パン１０，２０同士の継目部が各床パン１０，２０の底部１１，２１から立ち上がる堰部に形成されることとなり、継目部における防水性をより向上させることができる。また、この堰部の天部上面となる浴槽床パン１０及び洗場床パン２０の各連結側端部１４，２４の上面１４ａ，２４ａに跨るように防水テープ４６を貼着する構造としているので、例えば、底部上面や堰部の側面等に貼着するようなものと比べて、防水テープ４６の貼着性を向上させることができ、防水テープ４６をより安定的に貼着することができる。
【００７９】
また、本実施形態では、堰部の天部上面及び少なくとも上側部位の幅方向両側部を全長に亘って覆う下方開口形状のカバー４８を設けている。従って、このカバー４８によって防水性をより向上させることができ、また、防水テープ４６を保護することができ、防水テープ４６の剥がれ等を抑制することができる。なお、このようなカバー４８を設けないようにしてもよい。
【００８０】
なお、洗場床パン２０に対する浴槽床パン１０の上記した各方向の位置決めを可能とする各位置決め部としては、上記した態様に限られず、種々の変形が可能である。
また、洗場床パン２０に対する連結本体３１の上記した各方向の位置決めを可能とする各位置決め部としては、上記した態様に限られず、種々の変形が可能である。
また、本実施形態では、各床パン１０，２０の連結側端部１４，２４間にシーリング材充填用の隙間１９を形成するための隙間形成位置決め部として、浴槽床パン１０の立上部１３及び凸片部１５にそれぞれ当接される側面部３３及び浴槽側凹所４１を連結部材３０に設けた例を示しているが、このような態様に限られず、種々の変形が可能である。
また、本実施形態では、シーリング材充填用の隙間１９の底部となるシーリング材受部を、連結部材３０（連結本体３１）の上面部３２の中間上面３２ｂ及び凹所底壁部３６の上面３６ｂによって構成した例を示しているが、このような態様に限られず、種々の変形が可能である。
【００８１】
また、本実施形態では、洗場床パン２０に取り付けた連結部材３０に対して浴槽床パン１０を固定する態様とした例を示しているが、これとは逆にしてもよい。つまり、浴槽床パン１０に取り付けた連結部材３０に対して洗場床パン２０を固定する態様としてもよい。この場合は、各床パン１０，２０や連結部材３０を、適宜、変形するようにすればよい。
また、本実施形態では、浴槽床パン１０と洗場床パン２０とを、一体成形された一体床パン９を切断して分割されたものとした例を示しているが、浴槽床パン１０と洗場床パン２０とを、それぞれ個別に成形されて分割されたものとしてもよい。
また、本実施形態では、上記のように、上下方向位置決め部、奥行方向位置決め部、幅方向位置決め部、隙間形成位置決め部及びシーリング材受部を設けた態様とした例を示しているが、このような態様に限られない。少なくともシーリング材受部を設けたシーリング材受体としての連結本体３１を設けた態様としてもよい。
【００８２】
また、本実施形態では、シーリング材受体３１を、上記したような種々の位置決め機能等を有した連結部材３０が備える連結本体３１とした例を示しているが、このような態様に限られない。シーリング材受体３１としては、連結部材として機能するものに限られず、また、位置決め機能等を有していないものとしてもよい。例えば、浴槽床パン１０及び洗場床パン２０の連結側端部１４，２４の両方または一方の裏面に接着剤等によって接着されるものとしてもよい。
また、本実施形態に係る分割床パンの防水構造は、上記のような態様とされた分割された浴室床パン２に限られず、種々の態様とされた分割された浴室床パンに対して適用可能である。
【符号の説明】
【００８３】
４        壁パネル
９ａ      堰部
９ｂ      天部
１０      浴槽床パン
１１      底部
１２ａ    壁載置部
１２ｂ    壁載置部上面（端部の表面）
１２ｃ    壁立上部の上側部位（立上部）
１２ｄ    内側面（対向する面）
１４      連結側端部（対向する端部）
１４ａ    端部上面（端部の表面、堰部の天部上面）
１９      隙間
２０      洗場床パン
２１      底部
２２ａ    壁載置部
２２ｂ    壁載置部上面（端部の表面）
２２ｃ    壁立上部の上側部位（立上部）
２２ｄ    内側面（対向する面）
２４      連結側端部（対向する端部）
２４ａ    端部上面（端部の表面、堰部の天部上面）
２９      シーリング材
３１      連結本体（シーリング材受体）
４６      防水テープ
４７      防水パッキン
４８      カバー
【図１】
2014205995.tif 000003
【図２】
2014205995.tif 000004
【図３】
2014205995.tif 000005
【図４】
2014205995.tif 000006
【図５】
2014205995.tif 000007
【図６】
2014205995.tif 000008
【図７】
2014205995.tif 000009
【図８】
2014205995.tif 000010